(57)【特許請求の範囲】
【請求項１】
光記録媒体に照射する記録光について、位相差を生じさせた２つの光を合成して干渉させ、この干渉させた記録光により前記位相差に応じた多値記録を前記光記録媒体に行うものであって、前記２つの光の一方あるいは両方が、記録する情報に応じた、複数のドットの各々が透過あるいは不透過もしくは透明あるいは不透明の状態の２次元マトリクスパターンとされることを特徴とする光学情報記録方法。
【請求項２】
光記録媒体に記録光を照射することで、情報信号の記録を行う光学情報記録装置であって、
位相のずれた２つの光を合成することにより前記記録光を生成する記録光生成手段を有し、前記記録光生成手段は、所定の波長の光を出射する発光源と、前記発光源から出射された光を２つの分割光に分割する分割手段と、前記分割光を再び合成して記録光として出力する合成手段と、
前記分割光の一方あるいは両方の光路中に介在し、２次元マトリクス状に配置された複数のドットを記録する情報に応じて各々透過あるいは不透過もしくは透明あるいは不透明の状態とし、この状態の組み合わせによって通過する前記分割光の光量を調節する光量制御手段を備えることを特徴とする光学情報記録装置。
【発明の詳細な説明】
【０００１】
【発明の属する技術分野】
本発明は、光記録媒体にレーザ光による光ビームを照射して、照射部分に多値情報を記録することができる光情報記録方法及び光情報記録装置に関する。
【０００２】
【従来の技術】
記録媒体としては種々の構造のものが提案されているが、将来の計算機の大容量化及び高速処理を考えた場合、メモリの高密度化、大容量化が重要な技術課題となっている。これまでは、媒体に光ビームを照射して記録を行う光ディスクや光カード等の光記録媒体では、記録媒体の記録トラックに沿って形成される記録ピットの１つに対して、１段階（記録の有無に対応した２値信号）の信号しか書き込めなかったためメモリ密度に限界があった。
そこで、このメモリ密度の限界を打開する方法として、一つの記録ピット中に複数の信号を書き込むことができる光記録媒体が提案されている。
【０００３】
この光記録媒体は、情報が記録された媒体に再生レーザ光（読み出し光）を照射したときに、反射光の平均反射率が多段階になるように記録ピットの面積や形状、構造を変化させるもの、すなわち反射光の光量で多値情報を認識する方式と、記録ピットの形状や向き，位置，配置の組み合わせを複数定義し、これらの２次元的な配置情報を読みとる方式とが知られている。
【０００４】
前記反射率の光量で多値情報を認識する光記録媒体としては、▲１▼記録ピットや記録溝の深さや幅を構造的に変化させて多値化する方式、▲２▼記録ピットの形状や位置により多値化する方式、▲３▼１つのユニットの中に複数ピットを形成して多値化する方式、▲４▼記録光（レーザビーム）のエネルギーを多段階に変化させて多値化する方式等がある。
【０００５】
前記▲１▼に対応する技術としては、例えば特開昭６２−４３８３９号公報に記載されるように、記録媒体に形成する記録溝を、その対向縁部が多値化レベルをとるように記録溝を幅方向に変位させ（記録溝の幅方向を多値化）、この変位量を検出して多値情報を再生するものが提案されている。
【０００６】
前記▲２▼に対応する技術としては、特開平６−３１８３２５号公報や特開平７−２１５６８号公報に記載されるように、記録ピットの形状や向き、位置、配置の組み合わせを複数定義し、この２次元的な配置情報を読みとる方式がある。
更に、特開平７−１６９１０２号公報に記載されているように、マークの始端と終端の形状変化の組み合わせで多値化情報を表現し、多分割センサなどによって記録ピット形状を識別し多値化情報を再生する方式も存在する。
また、記録ピットの位置情報によって多値記録を行う方法としては、特開平８−２３５５９３号公報に示すように、記録ピットの記録トラック中心からの偏位量によって多値化情報を表現する方式がある。
【０００７】
前記▲３▼に対応する技術としては、特開平６−３１８３２５号公報や特開平７−２１５６８号公報に記載されるように、１つのユニットの中に複数ピットを形成し、そのピットの個数や配列の仕方によって１つのユニットを多値化し、ユニット毎に多値情報を再生するものも存在する。
【０００８】
前記▲４▼に対応する技術としては、記録光（レーザビーム）のエネルギーを多段階に変化させて記録ピット径を多値化する方式（特開平２−１４４２７号公報）、記録ピットにおける相変化の反射率を多段階とすることで多値化する方式（特開平２−３１３２９号公報）が提案されている。
【０００９】
【発明が解決しようとする課題】
しかしながら、上述した多値化方式では、それぞれ次に記載するような問題があった。
すなわち、前記▲１▼に対応する方式は、記録ピット形状や記録溝の深さや幅を変化させる立体的な構造によって多値情報を表現しているので、ＲＯＭ記録媒体としては利用できてもＲＡＭ記録媒体として利用できる多値記録方式ではない。
【００１０】
前記▲２▼に対応する方式として記録ピット形状を変形させて多値化する場合では、ピット形状が複雑であるためにＲＡＭ記録媒体としての利用が困難であり、さらにＲＯＭ記録媒体として利用する場合にも、ピット形状の認識メカニズムが複雑になるという欠点がある。
【００１１】
前記▲３▼に対応する方式として、１つのユニットの中に複数記録ピットを形成してその記録ピットの個数や配列方法によって多値化する場合、レーザ光などの光学的手法を使用して書き込みを行うに際して、各記録ピットの大きさがレーザ光の最小ビーム径に限定されるので、ユニット単位としては大きくなり記録密度を大幅に向上させることはできない。また、記録用光源を複数用いて記録する場合には光源の光量ばらつきの問題が避けられず、さらに配置情報を検出する手段がきわめて複雑になるという欠点がある。
【００１２】
前記▲４▼で説明した１つの記録光により多値化を行う方式は、情報が記録された光記録媒体に再生レーザ光（読み出し光）を照射したときに、平均反射率が多段階になるように記録ピットの面積や形状等を変化させ（例えば、記録ピット径を変化させ）、再生レーザ光の反射光における反射率の光量で多値情報を認識するものであり、光記録媒体への記録や再生を比較的簡易に行うことができるという利点がある。
【００１３】
しかしその一方、記録光により光記録媒体に記録を行うに際して、記録光としてのレーザビームの出力は環境温度の影響を受けやすく、エネルギーを多段階に変化させた場合には前の出力光の熱履歴の影響を大きく受けるため、記録ピット径を段階的に精度良く再現することは非常に困難である。さらに、安定した多段階のレーザ出力光を得るため、熱履歴のフィードバックをかけて蓄熱補正する方法も考えられるが、その制御機構はきわめて複雑となるため実現は容易でない。
【００１４】
本発明は上記実情に鑑みてなされたもので、簡単な構成で安定した多値記録を行うことにより高密度記録を可能とする光学情報記録方法及び光学情報記録装置を提供することを目的とする。
【００１５】
【課題を解決するための手段】
上記目的を達成するため本発明により光学情報記録方法は、光記録媒体に照射する記録光について、位相差を生じさせた２つの光を合成して干渉させ、この干渉させた記録光により前記位相差に応じた多値記録を前記光記録媒体に行うものであって、前記２つの光の一方あるいは両方が、記録する情報に応じた、複数のドットの各々が透過あるいは不透過もしくは透明あるいは不透明の状態の２次元マトリクスパターンとされることを特徴としている。
【００１６】
この場合に用いられる光記録媒体は、レーザビーム等を用いて記録が可能な媒体であればよく、例えば相変化光材料などを用いることが可能である。
【００１７】
本発明方法によれば、出力されるレーザビームのエネルギーを変化させることなく、位相差を生じさせた２つの光を合成して干渉させて記録光とし、この記録光（干渉光）の強度を変化させることにより多段階の情報とし、光記録媒体に対して多値情報として記録することが可能となる。
【００１８】
本発明による光学情報記録装置は、光記録媒体に記録光を照射することで、情報信号の記録を行う光学情報記録装置であって、位相のずれた２つの光を合成することにより前記記録光を生成する記録光生成手段を有している。そして、前記記録光生成手段は、所定の波長の光を出射する発光源と、前記発光源から出射された光を２つの分割光に分割する分割手段と、前記分割光を再び合成して記録光として出力する合成手段と、を具備し、前記分割光の一方あるいは両方の光路中に介在し、２次元マトリクス状に配置された複数のドットを記録する情報に応じて各々透過あるいは不透過もしくは透明あるいは不透明の状態とし、この状態の組み合わせによって通過する前記分割光の光量を調節する光量制御手段を備えることを特徴としている。
【００１９】
すなわち、光記録媒体に記録光を照射するに際して、光記録媒体に照射される光源からの光ビームをハーフミラー等で２つの分割光とし、一方の分割光の位相をずらし、再び２つの分割光を光軸が合うように合成して記録光を得る。この記録光において、２つの分割光の位相のずれ量（位相差）を任意に選ぶことにより干渉効果によって光強度を変化させ、記録ピットにおける反射率を多値化することができる。
【００２０】
また、分割光の一方あるいは両方の光路中に、光量を調節する光量制御手段を介在させることにより、合成された記録光の光記録媒体面での照射光量を変化させ、光記録媒体に形成される記録ピットの平均反射率を多値化することができる。
【００２１】
この光量制御手段について、２次元マトリクス状に配置された複数のドットを各々透過あるいは不透過の状態（透過／不透過のドットパターン）とし、この状態の組み合わせによって通過する光量を制御するように構成すれば、合成された記録光の光記録媒体面での平均照射光量を変化させて多値化を図ることにより、ドットパターンに応じた濃度階調を表現することができる。
【００２２】
すなわち、光量制御手段の存在によって、各分割光の半径や強度に差を持たせることができ、２つの分割光を光軸が合うように合成すると、２つの分割光の差分が合成された記録光となる。この記録光のパターンは、２次元マトリクス状に配置された複数のドットの透過／不透過の組み合わせによって自由に選択することができるため、光記録媒体での平均反射率を多段階となるように光量を制御することが容易である。
【００２３】
【発明の実施の形態】
本発明の実施の形態の一例について、図面を参照しながら説明する。
図１は、本発明の光学情報記録方法を採用した光学情報記録装置であり、光記録媒体１０１に多値情報を記録を行うものである。この光学情報記録装置は、光記録媒体１０１の表面に照射されるレーザ光（記録光）を出射するレーザ発生装置（発光源）１０２と、出射されたレーザ光を平行光とするコリメータレンズ１０３と、前記平行光を２つの分割光（光束Ｌ１，光束Ｌ２）に分岐させるハーフミラー１０４と、２つの分割光を合成して一つの記録光（光束Ｌ３）とするハーフミラー１０５と、ハーフミラー１０４で光路を変更された分割光（光束Ｌ２）をハーフミラー１０５に導くための全反射ミラー１０６，１０７と、合成された記録光（光束Ｌ３）をスポットビームにするためのピックアップレンズ１０８と、ハーフミラー１０４と全反射ミラー１０６との間の分割光（光束Ｌ２）の光路中に配置された光量制御手段１０９と、２つの分割光Ｌ１，Ｌ２の光路差を変化させるため全反射ミラー１０６，１０７の位置を移動させる可動手段１１０とから構成されている。
【００２４】
光記録媒体１０１としては、記録光（レーザ光）を照射することで光記録媒体１０１の記録膜の反射率を変化させた記録ピットを形成して情報信号の記録を行い、また、再生光（レーザ光）を照射することで前記記録ピットによる反射率の強度を検出して情報信号の再生を行うことができる相変化型光ディスクが用いられている。
【００２５】
上記構成の光学情報記録装置によれば、レーザ発生装置１０２から出射された発散性のレーザビームはコリメータレンズ１０３によって平行光束に変換され、ハーフミラー１０４に導かれる。レーザビームは、ハーフミラー１０４によって直進する光束Ｌ１と進行方向が９０度曲げられる光束Ｌ２とに分岐される。光束Ｌ２は光量制御手段１０９を通過し、全反射ミラー１０７、１０８にて全反射し、更にハーフミラー１０６で再度進行方向が９０度曲げられるように反射し、ハーフミラー１０４，１０５を透過直進してきた光束Ｌ１と光軸が一致するように合成される。
ここで、光束Ｌ１と光束Ｌ２は、後述するように所定の位相のずれ（位相差）をもって合成されるように、全反射ミラー１０６，１０７の位置が可動手段１１０によって微調整されている。
そして、ハーフミラー１０５で合成された光束Ｌ３は記録光としてピックアップレンズ１０８によって集光され、光記録媒体１０１上に結像して多値情報を記録する（記録ピットを形成する）。
【００２６】
可動手段１１０は、全反射ミラー１０６，１０７の固定位置を多段階に設定することによって、レーザ光の波長をλとした場合に、光束Ｌ１と光束Ｌ２との位相のずれ量（位相差）を０〜λ／２の範囲で設定できるようになっており、一方の分割光（光束Ｌ２）に位相差を与えることで、２つの分割光が合成された記録光（干渉光）の光強度を連続的または段階的に弱めて変化させることができる。
【００２７】
具体的には、光束Ｌ１と光束Ｌ２との位相差が０となるように、全反射ミラー１０６，１０７の位置を可動手段１１０で調整すれば、合成される記録光（光束Ｌ３）は分割光（光束Ｌ２）により弱められることがないので、最大の光強度を有することになる（合成される光束Ｌ３は光束Ｌ１と同じ光強度を有することになる）。また、光束Ｌ１と光束Ｌ２との位相差がλ／２となるように、全反射ミラー１０６，１０７の位置を可動手段１１０で調整すれば、合成される記録光（光束Ｌ３）は分割光（光束Ｌ２）により相殺され、光強度が最小となる。したがって、可動手段１１０により前記位相差が０〜λ／２の範囲で段階的に変化させるようにすれば、光強度を段階的に弱めて変化させることができ、記録光により光記録媒体に記録ピットを形成する場合に光強度に応じて多値化を図ることが可能となる
。
【００２８】
上述した相変化型光ディスクは、光記録媒体の表面の記録膜に記録すべき情報に応じた高パワーのレーザ光スポット（記録光）を照射し、記録温度を局部的に上昇させることにより、結晶／非晶質間の相変化を起こさせて記録ピットを形成し、これにともなう反射率の変化を低パワーのレーザ光（再生光）によって、記録膜に形成される非晶質記録ピットとその周囲に形成される結晶組織間の反射率差を利用して反射光の強度差を検出することにより再生を行っている。
【００２９】
例えば、結晶化時間が比較的遅い記録膜を用いた相変化型光ディスクでは、ディスクを回転させ、ディスク表面の記録膜に記録光を照射し、記録膜の温度を融点以上に上昇させ、記録光が通過した後、急冷することによりその部分を非晶質状態として記録（記録ピットを形成）している。
記録の消去は、記録膜温度を結晶化温度以上、融点以下の結晶化可能温度範囲で結晶化を進行させるために十分な時間保持し、記録膜を結晶化させることにより行う。
【００３０】
高速結晶化が可能な記録膜を用いた相変化型ディスクでは、円形に集光した１本のレーザ光（記録光）が使われている。従来より知られている方法は、レーザ光を２つのレベル間で変化させることにより、結晶化あるいは非晶質化を行う。すなわち、記録膜の温度を融点以上に上昇させることが可能なパワーを有しているレーザ光を記録膜に照射することにより、そのほとんどの部分は冷却時に非晶質状態となり、一方、記録膜温度が結晶化温度以上、融点以下の温度に達するようなパワーを有しているレーザ光が照射された部分は結晶状態になる。
【００３１】
相変化型光ディスクの記録膜には、カルコゲナイド系材料であるＧｅＳｂＴｅ系、ＩｎＳｂＴｅ系、ＩｎＳｅ系、ＡｓＴｅＧｅ系、ＴｅＯｘ−ＧｅＳｅ系、ＴｅＳｅＳｎ系、ＳｂＳｅＢｉ系、ＢｉＳｅＧｅ系などが用いられるが、いずれも抵抗加熱真空蒸着法、電子ビーム真空蒸着法、スパッタリング法などの成膜法で成膜される。成膜直後の記録膜の状態は一種の非晶質状態であり、この記録膜に記録を行って非晶質の記録部を形成するために、記録膜全体を結晶質にしておく初期化処理が行われる。したがって、情報の記録は、この結晶化された状態の中に非晶質部分を形成することにより達成される。
【００３２】
次に、分割光（光束Ｌ２）の光量を調整するための光量制御手段１０９の構成について説明する。
光量制御手段１０９は、図２に示すように、２次元マトリクス（８×８のマトリクスパターン）に配置された画素を有し、各画素を電気的な制御によってＯＮ，ＯＦＦして透過／不透過の部分を制御し（図の黒抜きの部分は光が不透過となる部分）、全体パターンが制御できるものであればよく、例えば液晶パネル等で構成することができる。
【００３３】
例えば、光量制御手段１０９において、図２（ａ）のようなマトリクスパターン（遮蔽パターン）を作製した場合、光量制御手段１０９を通過した光束Ｌ２は、その中央部分が遮られるため、光束Ｌ１と光束Ｌ２が合成された光束Ｌ３において図３（ａ）に示すように、その中央部分に、光束Ｌ２の干渉を受けずに光強度が最大となる光束Ｌ１が出射される。
その一方、光束Ｌ３の周縁部は光束Ｌ１と光束Ｌ２が干渉して光強度が弱められるので（位相差がλ／２であれば出力が相殺される）、光束Ｌ１と光束Ｌ２が合成された光束Ｌ３の出力強度及びパターンを変化させることができる。
その結果、記録光（光束Ｌ３）により、マトリクスパターンに対応した反射率を有する記録ピット（平均反射率において多値化が図られたもの）が光記録媒体上に記録され、再生時には、記録ピットにおける平均反射率を検出することにより多値情報が再現可能となる。
【００３４】
同様に、光量制御手段１０９によって図２（ｂ）〜（ｊ）のように段階的に不透過面積が増加する遮蔽パターン（マスクパターン）を作製すると、記録光における光束Ｌ３は、図２（ｂ）〜（ｊ）の不透過部分に対応して光強度が最大となる光束Ｌ１が出射される部分の面積が大きくなる。従って、光記録媒体１０１上に、マトリクスパターンに対応して光束Ｌ１部分を有する光束Ｌ３により記録ピットが形成され、段階的に平均反射率が異なる記録ピットを形成することができる。  したがって、マトリクスパターン（遮蔽パターン）を図２（ｊ）〜（ａ）となるように順次変化させれば、記録光（光束Ｌ３）において、光強度が弱められる光束Ｌ１＋光束Ｌ２が出射される部分に対して、光強度が最大となる光束Ｌ１が出射される部分の面積が順次小さくなるので、結果として記録光の光量を絞ることと略同じ作用をしていることになる。
【００３５】
光記録媒体１０１に形成された記録ピットの多値記録情報は、再生光（レーザ光）を照射した場合に、その平均反射率の強度を光検出手段（図示せず）で検出することによって情報信号の再生を行うことができる。すなわち、相変化型光記録媒体を使用した場合、記録ピットの非晶質化度が増加するに従って、反射率が増加する。
可動手段１１０を多段階に設定することによって、分割光同士の位相のずれ量（位相差）を０〜１／２波長の範囲で段階的に設定し、２つの分割光による干渉光（記録光（光束Ｌ３＝光束Ｌ１＋光束Ｌ２））の強度を位相差に応じて変化させることによって、干渉領域での結晶化レベルを段階的に変化させて反射率を段階的に変化させることができる。
【００３６】
更に、光量制御手段１０９を使用した場合、再生光によるレーザビームのスポット径は一定であるから、最大光強度の光束Ｌ１が光束Ｌ３中に占める割合が変化し、結果として光束Ｌ３全体に対して記録された記録ピットの平均反射率が変化する。
図２に示したマトリクスパターンを有する光量制御手段１０９の場合、（ａ）〜（ｊ）の１０通りのマトリクスパターンを作製することによって、可動手段１１０により光強度が可変される１つの記録光（光束Ｌ３）に対して１０通りの情報を記録することができ多値化を図ることが可能となる。
そして、可動手段１１０（干渉レベルにより設定される記録光（光束Ｌ３）の強度差）と光量制御手段１０９（マトリクスパターンにより設定される光束Ｌ１がそのまま出射される面積差）により設定される多重記録レベルは、平均反射率を検出する光検出手段の分解能の許す範囲内において、干渉レベルとマトリクスパターンとの組み合わせによって複数設定することができる。
【００３７】
平均反射率を多段階に変化させるための光量制御手段１０９の例としては、図２のマトリクスパターンの他に例えば図４に示すように、ランダムドットによって平均反射率を段階的に変化させることも可能である。また、光量制御手段１０９におけるマトリクスパターン等の記録パターンは、図２や図４に示したものに限定されず、平均反射率を段階的に変化させることができるパターンであればよい。すなわち、例えば、図２のマトリクスパターンの透過／不透過のパターンが逆になったものも使用できる。この場合、記録光（光束３）において、光束Ｌ１がそのまま出射される部分と、光束Ｌ１＋光束Ｌ２により弱められる部分との関係は図３（ｂ）のようになる。
【００３８】
次に、光学情報記録装置の実施の形態の他の例について、図５を参照しながら説明する。
この光学情報記録装置は、光記録媒体１０１の表面に照射されるレーザ光を出射するレーザ発生装置１０２と、出射されたレーザ光を平行光とするコリメータレンズ１０３と、前記平行光を２つの分割光（光束Ｌ１，光束Ｌ２）に分岐させるとともに再度合成して一つの記録光（光束Ｌ３）とするハーフミラー２０１と、ハーフミラー２０１で光路を変更された分割光（光束Ｌ１）を全反射させる全反射ミラー２０２と、ハーフミラー２０１を透過して直進した分割光（光束Ｌ２）を全反射させる全反射ミラー２０３と、合成された記録光（光束Ｌ３）をスポットビームにするためのピックアップレンズ１０８と、ハーフミラー２０１と全反射ミラー２０３との間の分割光（光束Ｌ２）の光路に配置された光量制御装置１０９と、２つの分割光Ｌ１，Ｌ２の光路差を変化させるため全反射ミラー２０４の位置を移動させる可動手段１１０とから構成されている。
図５中、図１と同一のデバイスについては同一符号を付している。
【００３９】
レーザ発生装置２０１から出射された発散性のレーザ光がコリメータレンズ１０２によって平行光束に変換され、ハーフミラー２０１に導かれる。レーザ光はハーフミラー２０１によって光束Ｌ１と光束Ｌ２に分岐する。光束Ｌ１は全反射ミラー２０２にて全反射しハーフミラー２０１を透過し、光束Ｌ２は全反射ミラー２０３にて全反射しハーフミラー２０１で反射するので、合成された記録光（光束Ｌ３）が得られる。ここで、光束Ｌ１と光束Ｌ２は図１と同様に多段階的な位相のずれ量（位相差）をもって合成されるように、全反射ミラー２０３の位置を可動手段１１０によって微調整される。ハーフミラー２０１で合成された記録光（光束Ｌ３）はピックアップレンズ２０８によって集光され光記録媒体１０１上に結像して多値情報を記録する（記録ピットを形成する）。
【００４０】
図５の例では光量制御手段１０９をハーフミラー２０１と全反射ミラー２０３との間の光束Ｌ２の光路中に設置したが、全反射ミラー２０３として液晶パネルやＤｅｆｏｒｍａｂｌｅ  Ｍｉｒｒｏｒ  Ｄｅｖｉｃｅ（ＤＭＤ）を利用することによって、光量制御手段の機能を合わせ持たせることができる。また、光量の制御の方法については、図１の例で説明したものと同様に透明／不透明のドットパターンの配置により光量の制御を行うことができる。
【００４２】
図５のような分割光の光路設定によれば、光量制御手段１０９を分割光（光束Ｌ２）の光路中に設定する他に、分割光（光束Ｌ１）側に設けることもできる。この場合、光量制御手段１０９で図２のマトリクスパターン（遮蔽パターン）を使用した記録光（光束３）において、光束Ｌ１がそのまま出射される部分と、光束Ｌ１＋光束Ｌ２により弱められる部分との関係は図３（ｃ）のようになる。
更に、図１及び図５では光量制御手段１０９を分割光（光束Ｌ２）の光路中のみに設置したが、分割光（Ｌ１）の光路と分割光（光束Ｌ２）の光路との両方に配置するものであってもよい。
【００４３】
上述の各例で説明した相変化型光記録材料を用いるた光記録媒体は、アニール処理やエージング処理によって結晶化させた状態を初期状態とし、記録パターンが非晶質領域によって形成されるようにしたが、非晶質状態を初期状態とし、記録パターンが結晶化領域によって形成されるようにしてもよい。
【００４４】
【発明の効果】
本発明によれば、記録光生成手段により、光源からの出射光を２つの分割光に分割し、位相差を生じさせて分割光を合成して干渉させて記録光としたので、光源のパワーを一定のまま記録光を変調させることができ、位相差に応じた多値記録を行うことできる。
また、光量制御手段を設けることにより、種々の出力パターンを設定することができ、位相差による記録光の変調と組み合わせることにより、更なる多値化を図って高密度記録が可能となる。
また、記録光生成手段や光量制御手段を用いることにより、光源からの出射光のエネルギーを変化させることなく記録光の光強度を変化させるので、簡単な構成で段階的な強度変化を精度良く再現することができ、安定した多値記録を行うことができる。
【図面の簡単な説明】
【図１】本発明による光学情報記録装置の実施の形態の一例を示す構成説明図である。
【図２】（ａ）ないし（ｊ）は、光量制御手段による光量制御パターンを説明するマトリクスパターン図である。
【図３】（ａ）ないし（ｃ）は、光量制御手段で図２のマトリクスパターン（遮蔽パターン）を使用した記録光（光束３）において、光束Ｌ１がそのまま出射される部分と、光束Ｌ１＋光束Ｌ２により光強度が弱められる部分との関係を示す光束断面説明図である。
【図４】（ａ）ないし（ｊ）は、他の例にかかる光量制御手段による光量制御パターンを説明するマトリクスパターン図である。
【図５】本発明による光学情報記録装置の実施の形態の他の例を示す構成説明図である。
【符号の説明】
１０１…光記録媒体、  １０２…レーザ発生装置（発光源）、  １０３…コリメータレンズ、  １０４，１０５…ハーフミラー、  １０６，１０７…全反射ミラー、  １０８…ピックアップレンズ、  １０９…光量制御手段、  １１０…可動手段、  ２０１…コリメータレンズ、  ２０２，２０３…全反射ミラー、  Ｌ１，Ｌ２，Ｌ３…光束
【図１】
0003551708.tif 000002
【図２】
0003551708.tif 000003
【図３】
0003551708.tif 000004
【図４】
0003551708.tif 000005
【図５】
0003551708.tif 000006